(57)【要約】【課題】様々な撮影環境に応じて、最適な態様とすることが可能なビデオカメラを提供する。【解決手段】ビデオカメラ１０は、本体部１１と、被写体を撮像して、撮像した映像信号を出力するカメラユニット１２と、外部ユニットが装着され、装着された外部ユニットに対してカメラユニット１２から出力された映像信号を供給する第１の装着部１３と、外部ユニットが装着され、装着された外部ユニットに対してカメラユニット１２から出力された映像信号を供給する第２の装着部１４とを備えている。外部ユニットとしては、例えば、ビデオテープに撮像した映像を記録するためのビデオレコーダユニット２１や、中継車に撮像した映像を光送信する光通信ユニット２２がある。ビデオカメラ１０では、第１の装着部１３と第２の装着部１４とは、筐体に対して外部ユニットを装着させる機構が同一である。【選択図】図９
2005354419.tif 000002
【特許請求の範囲】
【請求項１】
被写体を撮像して、撮像した映像信号を出力する撮像部と、
外部ユニットが装着され、装着された外部ユニットに対して上記撮像手段から出力された映像信号を供給する信号端子が設けられた第１の装着部と、
外部ユニットが装着され、装着された外部ユニットに対して上記撮像手段から出力された映像信号を供給する信号端子が設けられた第２の装着部とを備え、
上記第１の装着部と上記第２の装着部とは、筐体に対して外部ユニットを装着させる機構が同一である
ことを特徴とするビデオカメラ。
【請求項２】
上記第１の装着部は、筐体の上部に設けられており、
上記第２の装着部は、撮像レンズの取り付け面を筐体の前面としたときに、筐体の後面に設けられている
ことを特徴とする請求項１記載のビデオカメラ。
【請求項３】
上記外部ユニットは、入力された映像信号を記録媒体に記録する記録装置である
ことを特徴とする請求項１記載のビデオカメラ。
【請求項４】
上記外部ユニットは、入力された映像信号を、所定の伝送信号に変調して外部に送信する送信装置である
ことを特徴とする請求項１記載のビデオカメラ。
【発明の詳細な説明】
【技術分野】
【０００１】
本発明は、例えばテレビジョン放送等の中継現場やスタジオ撮影等に用いるビデオカメラに関するものである。
【背景技術】
【０００２】
報道番組やスポーツ番組等の中継現場では、撮像した映像信号を記録するビデオテープレコーダが一体化されているビデオカメラ、又は、撮像した映像信号を中継車に光送信や無線送信する送信装置が一体化されているビデオカメラが用いられる（特許文献１参照。）。
【０００３】
また、各種イベント番組等のスタジオ撮影現場では、撮像した映像信号を近くのビデオテープレコーダまでビデオケーブルで伝送できればよいため、ビデオテープレコーダや送信装置が設けられていない、ビデオケーブルが接続されるビデオ端子のみが設けられたビデオカメラが用いられる。
【０００４】
【特許文献１】国際公開  ＷＯ２００２／０２１８２９号公報
【発明の開示】
【発明が解決しようとする課題】
【０００５】
ところで、ビデオテープレコーダが一体化されているビデオカメラや送信装置が一体化されているビデオカメラを、スタジオ撮影現場に用いることも可能ではあるが、ビデオテープレコーダや送信装置が設けられている分だけ大型化しており、取り扱いが不便となる。
【０００６】
反対に、ビデオ端子のみが設けられたビデオカメラを、中継現場で用いることも可能であるが、撮影者以外の補助者がビデオテープレコーダ又は送信装置を運搬しなければならないため、機動性が著しく低下する。
【０００７】
本発明は、以上のような課題を解決するものであり、様々な撮影環境に応じて、最適な態様とすることが可能なビデオカメラを提供することを目的とする。
【課題を解決するための手段】
【０００８】
本発明に係るビデオカメラは、被写体を撮像して、撮像した映像信号を出力する撮像部と、外部ユニットが装着され、装着された外部ユニットに対して上記撮像手段から出力された映像信号を供給する信号端子が設けられた第１の装着部と、外部ユニットが装着され、装着された外部ユニットに対して上記撮像手段から出力された映像信号を供給する信号端子が設けられた第２の装着部とを備え、上記第１の装着部と上記第２の装着部とは、筐体に対して外部ユニットを装着させる機構が同一であることを特徴とする。
【０００９】
上記ビデオカメラには、映像信号を記録媒体に記録する記録装置及び映像信号を所定の伝送信号に変調して外部に送信する送信装置が設けられておらず、外部ユニットとして接続がされる。さらに、外部ユニットが装着される装着部が、筐体上に二箇所設けられている。
【発明の効果】
【００１０】
以上の本発明に係るビデオカメラでは、中継現場、スタジオ撮影現場、三脚等を用いた固定位置撮影、移動しながら撮影するハンディ撮影、中継装置へ映像信号を送信する送信装置を筐体に一体化させた撮影、ビデオテープレコーダ等の記録装置を筐体に一体化させた撮影等々の様々な撮影環境に対応して、最適な装置態様とすることが可能である。
【発明を実施するための最良の形態】
【００１１】
本発明が適用されたビデオカメラについて、以下、図面を参照して説明をする。
【００１２】
図１に、本発明が適用されたビデオカメラ１０の模式的な外観構成を示す。
【００１３】
ビデオカメラ１０は、図１に示すように、本体部１１を備えている。
【００１４】
本体部１１は、筐体内部に各種電気回路等を収納し、筐体外部に表示部や操作部等が設けられている。また、本体部１１は、筐体の前面部分に、撮像光学系及びＣＣＤイメージセンサ等からなるカメラユニット１２が設けられている。カメラユニット１２は、被写体からの撮像光を受光してＣＣＤイメージセンサ上に集光し、ＣＣＤイメージセンサにより撮像信号に変換する。
【００１５】
また、本体部１１には、筐体の上面部分に、外部ユニットが装着される第１の装着機構１３が設けられている。また、本体部１１には、筐体の後面部分（すなわち、カメラユニット１２の取り付けられた面に対して反対側の面）にも、外部ユニットが装着される第２の装着機構１４が設けられている。第１の装着機構１３及び第２の装着機構１４は、外部ユニットを本体部１１の筐体上に取り付けるための機構である。
【００１６】
外部ユニットは、ビデオカメラ１０の機能を拡張するためのユニットであり、例えば、図２に示すようなレコーダユニット２１や、図３に示すような光通信ユニット２２がある。
【００１７】
レコーダユニット２１は、図２に示すように、ビデオテープ２３に対して映像信号を記録し、また、ビデオテープ２３に記録されている映像信号を再生する記録再生装置である。レコーダユニット２１が第１の装着機構１３又は第２の装着機構１４を介して本体部１１の筐体に装着されると、本体部１１とレコーダユニット２１との間で映像信号ライン及び制御信号ラインが接続される。本体部１１に装着されているときには、レコーダユニット２１には、撮像して得られた映像信号及び操作制御信号が、本体部１１から入力される。本体部１１に装着されているときには、レコーダユニット２１は、本体部１１から入力された映像信号を、本体部１１からの操作制御信号に従ってビデオテープ２３に記録する。
【００１８】
光通信ユニット２２は、図３に示すように、電気信号として入力された映像信号を光信号に変換し、その光信号を光ケーブル２４を介して例えば中継車等に送信し、また、光ケーブル２４を介して光信号として送信されてくる例えば中継車等からの各種情報を受信して電気信号に変換して出力する光送受信装置である。光通信ユニット２２が第１の装着機構１３又は第２の装着機構１４を介して本体部１１の筐体に装着されると、本体部１１と光通信ユニット２２との間で映像信号ライン及び制御信号ラインが接続される。本体部１１に装着されているときには、光通信ユニット２２には、撮像して得られた映像信号及び操作制御信号が、本体部１１から入力される。本体部１１に装着されているときには、光通信ユニット２２は、本体部１１から入力された映像信号を、本体部１１からの操作制御信号に従って外部に光送信する。
【００１９】
また、第１の装着機構１３及び第２の装着機構１４は、同一の機構となっている。そのため、レコーダユニット２１を第１の装着機構１３にも第２の装着機構１４にも取り付けることができるし、光通信ユニット２２を第１の装着機構１３にも第２の装着機構１４にも取り付けることができる。また、レコーダユニット２１及び光通信ユニット２１を同時に本体部１１に取り付けることも可能である。
【００２０】
また、図４に示すように、第１の装着機構１３には、撮像して得られた映像信号が電気信号として出力されるビデオ端子１５が設けられ、第２の装着機構１４には、撮像して得られた映像信号が電気信号として出力されるビデオ端子が設けられている。ビデオ端子１５，１６には、ビデオケーブル２５が接続可能とされている。そのため、本体部１１とレコーダユニット２１（又は光通信ユニット２２）とをビデオケーブル２５を介して接続することも可能である。
【００２１】
つぎに、ビデオカメラ１０、レコーダユニット２１及び光通信ユニット２２の内部構成について説明をする。
【００２２】
図５及び図６に、ビデオカメラ１０、レコーダユニット２１及び光通信ユニット２２の内部ブロック図を示す。なお、図５には、レコーダユニット２１を第１の装着機構１３に装着し、光通信ユニット２２を第２の装着機構１４に装着した例を示す。また、図６には、レコーダユニット２１及び光通信ユニット２２を装着せずに、ビデオケーブル２５を接続した例を示す。
【００２３】
ビデオカメラ１０は、カメラユニット１２から出力された撮像信号が入力され、当該撮像信号に対してアナログ／デジタル変換処理やタイミング処理等を行い、デジタルの映像信号を出力する映像信号処理部３１と、映像信号処理部３１から出力されたデジタルの映像信号をフレーム（又はフィールド）単位で時分割分離をして１本，２本又は４本のパラレルの映像信号に変換するメイン分割部３２と、メイン分割部３２から出力された１本，２本又は４本のパラレルの映像信号を増幅するバッファ部３３とを備えている。
【００２４】
ビデオカメラ１０は、いわゆる高品位のテレビジョン信号（ＨＤ信号）の映像信号を取り扱う。
【００２５】
バッファ部３３から出力された映像信号は、第１の装着機構１３のビデオ端子１５及び第２の装着機構１４のビデオ端子１６の両者に供給される。第１の装着機構１３のビデオ端子１５及び第２の装着機構１４のビデオ端子１６は、それぞれ４本の端子が設けられている。
【００２６】
図５に示すように、第１の装着機構１３又は第２の装着機構１４にレコーダユニット２１又は光通信ユニット２２が装着されると、ビデオ端子１５，１６から出力された映像信号は、レコーダユニット２１又は光通信ユニット２２に入力される。また、図６に示すように、ビデオ端子１５，１６に直接ビデオケーブル２５が接続された場合には、当該ビデオケーブル２５を介して外部に映像信号が出力される。
【００２７】
ここで、メイン分割部３２は、光通信ユニット２２を用いて像した信号を光送信する場合には、映像信号処理部３１から出力された映像信号を、フレーム（又はフィールド）単位で時分割分離して４本のパラレル信号に変換する。光通信ユニット２２には、４本のパラレルの映像信号が入力される。光通信ユニット２２には、変復調部４１が設けられており、この変復調部４１が４本の各パラレル信号を複数チャネルに同時に変調して、光ケーブル２４に送信する。このため、１本あたりの伝送ビットレートを低速化することができ、遠距離に送信することが可能となる。
【００２８】
また、メイン分割部３２は、レコーダユニット２１を用いてビデオテープ２３に撮像した信号を記録する場合には、映像信号処理部３１から出力された映像信号を、フレーム（又はフィールド）単位で時分割分離して２本のパラレル信号に変換する。レコーダユニット２２には、合成部４２と記録部４３とが設けられており、合成部４２により２本のパラレル信号を１本の映像信号に再合成し、記録部４３により再合成した映像信号をビデオテープ２３に記録する。
【００２９】
なお、レコーダユニット２１は、ビデオテープ２３から映像信号を再生する再生部４４と、再生部４４により再生された映像信号をフレーム（又はフィールド）単位で時分割して２本のパラレル信号に変換する分割部４５とを備えている。再生部４４は、ビデオテープ２３に記録された映像信号の確認のために、記録と同時にモニタ再生を行うものである。再生部４４により再生された映像信号は、分割部４５によりフレーム（又はフィールド）単位で時分割分離して２本のパラレル信号に変換される。２分割された映像信号は、４本のビデオ端子のうち記録系で用いられていない残りの２本のビデオ端子を介して、レコーダユニット２１から本体部１１に供給される。
【００３０】
また、メイン分割部３２は、図６に示すように、撮像して得られた映像信号をビデオケーブル２５を介して出力する場合には、映像信号処理部３１から出力された映像信号を、時分割せずに、１本の信号でそのまま出力をする。
【００３１】
ビデオカメラ１０は、メイン分割部３２から出力された１，２又は４分割された映像信号を１本の映像信号に合成する第１の合成部３４と、レコーダユニット２１から出力された２本の映像信号を１本の映像信号に合成する第２の合成部３５とを備えている。また、ビデオカメラ１０は、映像信号処理部３１，第１の合成部３４又は第２の合成部３５から出力された映像信号が入力され、いずれか一つを選択して出力するセレクタ３６と、セレクタ３６から出力された映像信号の画面サイズを小さくするために画像フォーマットを変換するフォーマット変換部３７と、フォーマット変換部３７でフォーマット変換された映像信号が入力され、入力された映像信号をビデオカメラ１０を使用している撮影者に対して表示するファインダ３８と、セレクタ３６から出力された映像信号を撮影確認用の外部表示装置に出力するモニタ出力端子３９とを備えている。
【００３２】
このような構成を有するビデオカメラ１０では、レコーダユニット２１を用いている場合には、ビデオテープ２３に記録された映像信号をファインダ３８やモニタ出力端子３９から出力することができる。また、ビデオカメラ１０では、光通信ユニット２２を用いている場合には、光送信される映像信号をファインダ３８やモニタ出力端子３９から出力することができる。
【００３３】
さらに、ビデオカメラ１０は、光ケーブル２３及び光通信ユニット２２を介して中継車等から送信される各種情報を、受信する受信部４０を備えている。
【００３４】
受信部４０は、受信した各種情報を、例えば、例えばファインダ３８又はモニタ出力端子３９から出力する映像信号に合成したり、図示しないヘッドホンから音声として出力して、撮影者に通知をする。
【００３５】
また、ビデオカメラ１０では、レコーダユニット２１に対する記録開始命令や一時停止命令等、及び、光通信ユニット２２に対する送信命令等の操作制御命令を、本体部１１から出力する。本体部１１から出力された操作制御命令は、第１の装着機構１３及び第２の装着機構１４に設けられた制御線を介して、レコーダユニット２１及び光通信ユニット２２に送信される。
【００３６】
また、ビデオカメラ１０では、映像信号のみではなく、マイクロフォンも備えている。ビデオカメラ１０では、マイクロフォンにより音声を集音して、音声信号に変換する。ビデオカメラ１０では、その音声信号を映像信号とともにレコーダユニット２１及び光通信ユニット２２に出力する。
【００３７】
なお、ビデオカメラ１０の外部ユニットとして、レコーダユニット２１及び光通信ユニット２２を用いた例を説明したが、外部ユニットはこの他のものでもよい。例えば、撮像して得られた映像信号を無線送信するユニットや、ビデオテープ２３の代わりにハードディスクを記録媒体として用いたユニットであってもよい。
【００３８】
つぎに、以上のようなビデオカメラ１０の使用態様について具体的に説明をする。
【００３９】
ビデオカメラ１０は、図７に示すように、筐体の後面部の第２の装着機構１４にレコーダユニット２１を装着し、操作者が筐体の下部から肩に担いで移動撮影する、という使用態様で用いることができる。このような使用態様の場合、ビデオカメラ１０の重心が低くなり、前後のバランスも均等となるので、操作者が扱い易くなる。また、このような使用態様の場合、ステディカムのようなビデオカメラ１０が揺れないような機構を、ビデオカメラ１０の上部に取り付けることができる。
【００４０】
また、ビデオカメラ１０は、図８に示すような、筐体上部の第１の装着機構１３にレコーダユニット２１を装着し、筐体の下部を三脚５１で固定して撮影する、という使用態様で用いることができる。このような使用態様の場合、ビデオカメラ１０の全長が短くなるために、撮影時の取り回しが容易となり、狭い場所であっても三脚を使用することが可能となる。
【００４１】
また、ビデオカメラ１０は、図９に示すような、筐体上部の第１の装着機構１３にレコーダユニット２１を装着し、筐体の後面部の第２の装着機構１４に光送信ユニット２２を装着する、という使用態様で用いることができる。このような使用態様では、レコーダユニット２１により録画を行うと同時に、その録画している映像信号を光ケーブル２４によって中継車等に送信してバックアップ収録を行うことができる。また、撮影現場から遠距離の場所で監督等がモニタ確認をするような場合にも好適である。なお、光ケーブル２４を用いた通信は、電気信号による通信するよりも、通信距離を飛躍的に長くすることが可能となる。
【００４２】
また、ビデオカメラ１０は、図１０に示すように、筐体上部の第１の装着機構１３とレコーダユニット２１とをビデオケーブル２５を介して接続し、筐体の後面部の第２の装着機構１４に光送信ユニット２２を装着する、という使用態様で用いることができる。この使用態様の場合、バックアップ収録等ができるのは図９の使用態様と同様であるが、レコーダユニット２１を装着していないために、撮影者の負担が軽減するともに、周辺でのノイズを嫌う撮影の場合に適する。つまり、通常、ビデオテープレコーダの動作音は無視できるほどに静粛ではないためである。
【図面の簡単な説明】
【００４３】
【図１】本発明が適用されたビデオカメラの模式的な外観図である。
【図２】レコーダユニットを筐体の上部に装着した状態の上記ビデオカメラの模式的な外観図である。
【図３】光送信ユニットを筐体の後部に装着した状態の上記ビデオカメラの模式的な外観図である。
【図４】ビデオケーブルを介してレコーダユニットを接続した状態の上記ビデオカメラの模式的な外観図である。
【図５】レコーダユニット及び光送信ユニットが装着された状態での上記ビデオカメラの内部ブロック図である。
【図６】ビデオケーブルが接続された状態での上記ビデオカメラの内部ブロック図である。
【図７】レコーダユニットを筐体の後部に装着した状態の上記ビデオカメラの模式的な外観図である。
【図８】レコーダユニットを筐体の上部に装着するとともに三脚を取り付けた状態の上記ビデオカメラの模式的な外観図である。
【図９】レコーダユニットを筐体の上部に装着するとともに光通信ユニットを筐体の後部に装着した状態の上記ビデオカメラの模式的な外観図である。
【図１０】レコーダユニットをビデオケーブルを介して接続したとともに光通信ユニットを筐体の後部に装着した状態の上記ビデオカメラの模式的な外観図である。
【符号の説明】
【００４４】
１０  ビデオカメラ、１１  本体部、１２  カメラユニット、１３  第１の装着機構、１４  第２の装着機構、２１  レコーダユニット、２２  光通信ユニット
【図１】
2005354419.tif 000003
【図２】
2005354419.tif 000004
【図３】
2005354419.tif 000005
【図４】
2005354419.tif 000006
【図５】
2005354419.tif 000007
【図６】
2005354419.tif 000008
【図７】
2005354419.tif 000009
【図８】
2005354419.tif 000010
【図９】
2005354419.tif 000011
【図１０】
2005354419.tif 000012